(57)【要約】      （修正有）【課題】ホックの回転と同時にリールが連動されて靴紐が巻き取られ、靴紐の締まり具合の調節作用を達成させる靴紐バックルを提供する。【解決手段】靴紐バックルは、上蓋部１と、ベース２と、案内線バックル部３とを備える。上蓋部によりベースが蓋され、ベースは収納キャビティ４を有し、収納キャビティの中央部にはナット座５が設置され、ナット座にはスリーブナット６が内設される。上蓋部はネジ７によりスリーブナットに螺着固定され、収納キャビティにはリール８及びリールに被せられて回転を行うホック９が内設される。ホックには係合板１０が内設され、上蓋部の上平面には滑り溝１１が設けられ、滑り溝には滑り溝に沿って滑動を行うスライドスイッチ１２が内設され、スライドスイッチによりホック及びリールが時計回りまたは反時計回りに回転を行うように制御される。【選択図】図１
0003206876.tif 000002
【実用新案登録請求の範囲】
【請求項１】
上蓋部と、ベースと、案内線バックル部とを備え、前記上蓋部により前記ベースが蓋される靴紐バックルであって、前記ベースは収納キャビティを有し、前記収納キャビティの中央部にはナット座が設けられ、前記ナット座にはスリーブナットが内設され、前記上蓋部はネジにより前記スリーブナットに螺着されて固定され、前記収納キャビティにはリール及び前記リールに被せられて回転を行うホックが更に内設され、前記ホックには係合板が内設され、前記上蓋部の上平面には滑り溝が設けられ、前記滑り溝には前記滑り溝に沿って滑動を行うスライドスイッチが内設され、前記スライドスイッチにより前記ホック及び前記リールが時計回りまたは反時計回りに回転を行うように制御されることを特徴とする靴紐バックル。
【請求項２】
前記ベースには靴紐の両端が貫通される靴紐溝が設けられ、靴紐は前記案内線バックル部に貫通した後、前記靴紐溝を通過して前記リールに繋がることを特徴とする、請求項１に記載の靴紐バックル。
【請求項３】
前記収納キャビティの側壁には環状を呈して配置される複数のストッパーが設置されることを特徴とする請求項２に記載の靴紐バックル。
【請求項４】
前記ホックの外側には外に向けて傾斜されて延出される複数のストッパーバ−が等間隔で設置され、各前記ストッパーバ−の傾斜方向は全て同じであり、前記ホックが回転を行うと、前記ストッパーバ−が前記ストッパーに当着されることを特徴とする請求項３に記載の靴紐バックル。
【請求項５】
前記ホックの上端には係合板を装設させるための係合板キャビティが設けられ、前記係合板の上平面には上方に向けて垂直に２つの位置決め突起部が延出されることを特徴とする請求項４に記載の靴紐バックル。
【請求項６】
前記リールの上端には前記ホックに連結されるホック座が設置され、前記リールの下端には靴紐を収めるための溝部が設けられることを特徴とする請求項５に記載の靴紐バックル。
【請求項７】
前記スライドスイッチの両側の下辺端には何れも下方に向けて垂直に少なくとも１つのリバースホックが延出され、前記リバースホックは前記係合板に連結されることを特徴とする請求項６に記載の靴紐バックル。
【考案の詳細な説明】
【技術分野】
【０００１】
本考案は、靴紐バックルに関する。
【背景技術】
【０００２】
現在、靴は日常生活や仕事上で極めて大きな役割を果たしており、人々は靴を履いて様々な社会活動やスポーツに参加している。履き心地の上では、靴が足に合っているかどうかが最も重要である。靴が小さすぎればきつく感じ、歩きにくくなり、大きすぎれば踵の部分に隙間ができ、歩いている最中に脱げてしまうこともある。
【考案の概要】
【考案が解決しようとする課題】
【０００３】
しかしながら、自分の足のサイズに合った靴でも、靴の締まり具合が重要であり、靴の締まり具合がきつすぎると足が圧迫される。靴紐を有する靴の締まり具合の調節方法は、靴紐を順に少しずつ緩めてゆくが、これでは時間と労力がかかる。
【０００４】
そこで、本考案者は、上記の欠点を改善すべく、鋭意検討を重ねた結果、合理的設計で上記の課題を効果的に改善する本考案の提案に至った。
【０００５】
本考案は、このような従来の問題に鑑みてなされたものである。上記課題解決のため、本考案は、簡単な構造及び使用が容易な靴紐バックルを提供することを主目的とする。
【課題を解決するための手段】
【０００６】
上述した課題を解決し、目的を達成するために、本考案に係る靴紐バックルは、上蓋部と、ベースと、案内線バックル部とを備え、前記上蓋部により前記ベースが蓋をされる。前記ベースは収納キャビティを有し、前記収納キャビティの中央部にはナット座が設けられ、前記ナット座にはスリーブナットが内設され、前記上蓋部はネジにより前記スリーブナットに螺着されて固定される。前記収納キャビティにはリール及び前記リールに被せられて回転を行うホックが更に内設され、前記ホックには係合板が内設される。前記上蓋部の上平面には滑り溝が設けられ、前記滑り溝には前記滑り溝に沿って滑動を行うスライドスイッチが内設され、前記スライドスイッチにより前記ホック及び前記リールが時計回りまたは反時計回りに回転を行うように制御されることを特徴とする。
【０００７】
好ましい実施形態では、前記ベースには靴紐の両端が貫通される靴紐溝が設けられ、靴紐は前記案内線バックル部に貫通した後、前記靴紐溝を通過して前記リールに繋がれる。
【０００８】
好ましい実施形態では、前記収納キャビティの側壁には環状を呈して配置される複数のストッパーが設置される。
【０００９】
好ましい実施形態では、前記ホックの外側には外に向けて傾斜されて延出される複数のストッパーバ−が等間隔で設置され、各前記ストッパーバ−の傾斜方向は全て同じであり、前記ホックが回転を行うと、前記ストッパーバ−が前記ストッパーに当着される。
【００１０】
好ましい実施形態では、前記ホックの上端には係合板を装設させるための係合板キャビティが設けられ、前記係合板の上平面には上方に向けて垂直に２つの位置決め突起部が延出される。
【００１１】
好ましい実施形態では、前記リールの上端には前記ホックに連結されるホック座が設置され、前記リールの下端には靴紐を収めるための溝部が設けられる。
【００１２】
好ましい実施形態では、前記スライドスイッチの両側の下辺端には何れも下方に向けて垂直に少なくとも１つのリバースホックが延出され、前記リバースホックは前記係合板に連結される。
【考案の効果】
【００１３】
従来の技術と比較すると、本考案の長所は、本実用新案にはスライドスイッチが採用され、スライドスイッチによりホック及びリールの回転が制御される。スライドスイッチが上蓋部の滑り溝上で滑動を行うと、係合板が同時に連動されて滑動を行い、且つ係合板がホックに装設されるため、ホックも回転を行い、ホックの回転と同時に連動されてリールにより靴紐が巻き取られ、これにより靴紐の締まり具合の調節作用が達成される。
【図面の簡単な説明】
【００１４】
【図１】本考案の第１実施形態に係る靴紐バックルを示す展開の概略図である。
【図２】本考案の第１実施形態に係る靴紐バックルを示す外観斜視図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
(実施形態)
【００１６】
（第１実施形態）
本考案の靴紐バックルは、上蓋部１と、ベース２と、案内線バックル部３とを備える。上蓋部１によりベース２が蓋をされ、ベース２は収納キャビティ４を有し、収納キャビティ４の中央部にはナット座５が設置され、ナット座５にはスリーブナット６が内設される。上蓋部１はネジ７によりスリーブナット６に螺着されて固定される。収納キャビティ４にはリール８及び前記リール８に被せられて回転を行うホック９が更に内設され、前記ホック９には係合板１０が内設される。上蓋部１の上平面には滑り溝１１が設けられ、滑り溝１１には前記滑り溝１１に沿って滑動を行うスライドスイッチ１２が内設され、スライドスイッチ１２によりホック９及び前記リール８が時計回りまたは反時計回りに回転を行うように制御される（図１及び図２参照）。
【００１７】
好ましくは、ベース２には靴紐の両端が貫通される靴紐溝１３が設けられ、靴紐は案内線バックル部３に貫通した後、靴紐溝１３を通過してリール８に繋がれる。
【００１８】
好ましくは、収納キャビティ４の側壁には環状を呈して配置される複数のストッパー１４が設置される。
【００１９】
好ましくは、ホック９の外側には外に向けて傾斜されて延出される複数のストッパーバ−１５が等間隔で設置され、各ストッパーバ−１５の傾斜方向は全て同じであり、前記ホック９が回転を行うと、ストッパーバ−１５が前記ストッパー１４に当着される。
【００２０】
好ましくは、ホック９の上端には係合板１０を装設させるための係合板キャビティ１６が設けられ、係合板１０の上平面には上方に向けて垂直に２つの位置決め突起部１７が延出される。
【００２１】
好ましくは、リール８の上端にはホック９に連結されるホック座１８が設置され、リール８の下端には靴紐を収めるための溝部１９が設けられる。
【００２２】
好ましくは、スライドスイッチ１２の両側の下辺端には何れも下方に向けて垂直に少なくとも１つのリバースホック２０が延出され、リバースホック２０は係合板１０に連結される。
【００２３】
結論として、本考案にはスライドスイッチ１２が採用され、スライドスイッチ１２によりホック９及びリール８の回転が制御される。スライドスイッチ１２が上蓋部１の滑り溝上で滑動を行うと、係合板１０が同時に連動されて滑動を行い、且つ係合板１０がホック９に装設されるため、ホック９も回転を行い、ホック９の回転と同時に連動されてリール８により靴紐が巻き取られ、靴紐の締まり具合の調節作用を達成させる。
【００２４】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２５】
１  上蓋部
２  ベース
３  案内線バックル部
４  収納キャビティ
５  ナット座
６  スリーブナット
７  ネジ
８  リール
９  ホック
１０  係合板
１１  滑り溝
１２  スライドスイッチ
１３  靴紐溝
１４  ストッパー
１５  ストッパーバ−
１６  係合板キャビティ
１７  位置決め突起部
１８  ホック座
１９  溝部
２０  リバースホック
【図１】
0003206876.tif 000003
【図２】
0003206876.tif 000004